(57)【特許請求の範囲】
【請求項１】
被写体像を撮影レンズによって撮像素子上に結像させ、前記撮像素子によって前記被写体像を電気信号に変換するものであって、前記電気信号に基づいて撮影画像を表示する液晶表示手段を備えたデジタルカメラにおいて、
電源投入後、前記電気信号の情報を含むデータ信号の前記液晶表示手段への送信が開始されてから所定時間経過後に前記液晶表示手段による表示画像が観察可能な状態となるように制御する制御手段を備えたことを特徴とするデジタルカメラ。
【請求項２】
被写体像を撮影レンズによって撮像素子上に結像させ、前記撮像素子によって前記被写体像を電気信号に変換するものであって、電源投入に伴って収容位置から合焦可能な所定位置まで移動する撮影レンズと、前記電気信号に基づいて撮影画像を表示する表示手段とを備えたデジタルカメラにおいて、
電源投入後、前記撮影レンズの前記所定位置への移動が完了してから前記表示手段による表示画像が観察可能な状態となるように制御する制御手段を備え、前記撮影レンズが前記収容位置から前記所定位置へ移動した時点で、前記電気信号の情報を含むデータ信号の前記表示手段への送信が開始されてからの経過時間が所定時間に達していない場合、前記制御手段は前記経過時間が前記所定時間に達してから前記表示手段による表示画像が観察可能な状態となるように制御することを特徴とするデジタルカメラ。
【請求項３】
前記表示手段は液晶表示部と該液晶表示部を照明する照明手段とからなり、前記制御手段は前記照明手段を点灯状態とすることにより前記観察可能な状態とすることを特徴とする請求項２に記載のデジタルカメラ。
【請求項４】
前記所定時間は、前記液晶表示部における画像出力が安定化するまでに要する時間であることを特徴とする請求項１に記載のデジタルカメラ。
【発明の詳細な説明】
【０００１】
【発明の属する技術分野】
本発明は、デジタルカメラに関するものである。
【０００２】
【従来の技術】
近年、撮像素子、ＣＰＵ（central processing unit）、メモリを初めとする半導体技術の普及、発展に伴って、フィルムに代わってＣＣＤ（charge-coupled device）を初めとする撮像素子で、シーンを画像信号に変換し、ＣＰＵで処理を行った後にフラッシュメモリ上に画像信号を記録する、いわゆるデジタルカメラが普及している。デジタルカメラにおいては、撮影シーンを確認するため、あるいは撮った画像をその場で直ちに確認できるようにするためのＬＣＤ（liquid crystal display）等からなる画像表示手段を備えたものが多い。
【０００３】
【発明が解決しようとする課題】
従来のデジタルカメラにおいては、電源投入後、直ちに表示手段を作動させていた。ところが、電源投入直後、内部の回路は立ち上がり過程にあるので動作が安定しない。そのため、表示手段にノイズ混じりの画像が表示され見苦しいという問題があった。
【０００４】
また、デジタルカメラにおいても、従来の銀塩カメラ同様、撮影レンズが、携帯時にはボディ内部に収容されており、電源投入後に所定位置まで飛び出す、いわゆる沈胴タイプのレンズが使用されるようになってきている。この場合、電源投入に伴って収容位置から合焦可能な所定位置まで撮影レンズが移動するように構成されている。しかし、従来のデジタルカメラにおいては、レンズの移動と表示手段の表示タイミングとの関係については、なんら考慮されておらず、レンズが所定位置まで移動していないのにもかかわらず、表示手段も作動しており、合焦されないボケた像が表示されてしまうという問題があった。
【０００５】
本発明は、上記問題点を考慮して、表示手段の動作タイミングを制御することにより、表示手段で表示される画像の品質を向上させることを目的とする。
【０００６】
【課題を解決するための手段】
上記目的を達成するために、請求項１に記載の発明は、被写体像を撮影レンズによって撮像素子上に結像させ、前記撮像素子によって前記被写体像を電気信号に変換するものであって、前記電気信号に基づいて撮影画像を表示する液晶表示手段を備えたデジタルカメラにおいて、電源投入後、前記電気信号の情報を含むデータ信号の前記液晶表示手段への送信が開始されてから所定時間経過後に前記液晶表示手段による表示画像が観察可能な状態となるように制御する制御手段を備えた構成とする。このような構成により、データ送信開始直後のノイズがのった画像が観察されないことになる。
【０００７】
請求項２に記載の発明は、被写体像を撮影レンズによって撮像素子上に結像させ、前記撮像素子によって前記被写体像を電気信号に変換するものであって、電源投入に伴って収容位置から合焦可能な所定位置まで移動する撮影レンズと、前記電気信号に基づいて撮影画像を表示する表示手段とを備えたデジタルカメラにおいて、電源投入後、前記撮影レンズの前記所定位置への移動が完了してから前記表示手段による表示画像が観察可能な状態となるように制御する制御手段を備えた構成とする。
【０００８】
上記構成においては、撮影レンズの収容位置から所定位置への移動中の焦点の合わないぼけた像が観察者には観察されないことになる。
【０００９】
更に請求項２に記載の発明は、前記撮影レンズが前記収容位置から前記所定位置へ移動した時点で、前記電気信号の情報を含むデータ信号の前記表示手段への送信が開始されてからの経過時間が所定時間に達していない場合、前記制御手段は前記経過時間が前記所定時間に達してから前記表示手段による表示画像が観察可能な状態となるように制御する構成とする。
【００１０】
請求項３に記載の発明は、請求項２に記載のデジタルカメラにおいて、前記表示手段は液晶表示部と該液晶表示部を照明する照明手段とからなり、前記制御手段は前記照明手段を点灯状態とすることにより前記観察可能な状態とする構成とする。
【００１１】
上記構成においては、電源投入直後は、照明手段を点灯しないことにより表示画像が観察者に観察されないようにする。透過型の液晶表示部の場合、照明手段はバックライトである。
【００１２】
請求項４に記載の発明は、請求項１に記載のデジタルカメラにおいて、前記所定時間は、前記液晶表示部における画像出力が安定化するまでに要する時間である構成とする。ノイズののった画像が表示されることを防止するためには、所定時間を上記のように設定することが、最も望ましい。
【００１３】
【発明の実施の形態】
以下、本発明の実施形態であるデジタルカメラについて、図を用いて説明する。図１〜図３に本実施形態のデジタルカメラの外観図を示す。デジタルカメラ１は、図１〜図３に示すように、箱型のカメラ本体部２と直方体状の撮像部３とから構成されている。本実施形態のデジタルカメラ１は、撮影シーンを確認するため、あるいは撮った画像をその場で直ちに確認できるようにするためのＬＣＤ表示部１０（図２参照）を備えている。
【００１４】
以下、カメラ本体部２において、ＬＣＤ表示部１０が構成されている面を背面、その裏側の面を前面、シャッタボタン９等の操作部材が構成されている面を上面、その裏側の面を底面とする。図１は紙面下方向が底面となる前面図、図２は紙面下方向が底面となる背面図、図３は紙面下方向が前面となる底面図である。尚、前面、背面、上面、底面に囲まれた２面のうち、図１において右側に位置する面を撮像部接続面、左側に位置するもう一方の面を保持面（一般的にはこの面に手のひらを当ててカメラを保持するため）とする。
【００１５】
まず、カメラ本体部２の構成要素から説明する。カメラ本体部２の前面には、図１に示すように、左端部の適所にグリップ部４が設けられ、上部適所に内蔵フラッシュ５が設けられている。カメラ本体部２の背面には、図２に示すように、左端部の略中央に撮影画像のモニタ表示（ビューファインダーに相当）及び記録画像の再生表示等を行なうためのＬＣＤ表示部１０が設けられている。
【００１６】
ＬＣＤ表示部１０の下方位置に、圧縮率設定スライドスイッチ１２が設けられている。ＬＣＤ表示部１０の上方位置には、左側から、ＦＬ（フラッシュ）モード設定スイッチ１１、押す毎にオン／オフが切り替わる電源スイッチＰＳ、撮影／再生モード設定スイッチ１４が設けられている。右方位置には、４連スイッチＺが設けられている。
【００１７】
デジタルカメラ１には、フラッシュ発光に関するモードとして被写体輝度に応じて自動的に内蔵フラッシュ５を発光させる「自動発光モード」、被写体輝度に関係なく内蔵フラッシュ５を強制的に発光させる「強制発光モード」及び内蔵フラッシュ５の発光を禁止する「発光禁止モード」が設けられ、ＦＬモード設定スイッチ１１を押す毎に「自動発光」、「強制発光」及び「発光禁止」の各モードがサイクリックに切り換わり、いずれかのモードが選択設定されるようになっている。
【００１８】
また、デジタルカメラ１では、後述のメモリカードに記録される画像データの圧縮率Ｋが１／８と１／２０の２種類の値で選択設定可能に構成されている。例えば圧縮率設定スイッチ１２を右にスライドすると、圧縮率Ｋ＝１／８が設定され、左にスライドすると、圧縮率Ｋ＝１／２０が設定される。なお、本実施形態では、２種類の圧縮率Ｋが選択設定できるようにしているが、３種類以上の圧縮率Ｋを選択設定できるようにしてもよい。
【００１９】
撮影／再生モード設定スイッチ１４は、「撮影モード」と「再生モード」とを切換設定するものである。撮影モードは、写真撮影を行なうモードであり、再生モードは、メモリカードに記録された撮影画像をＬＣＤ表示部１０に再生表示するモードである。撮影／再生モード設定スイッチ１４も２接点のスライドスイッチからなり、例えば右にスライドすると、再生モードが設定され、左にスライドすると、撮影モードが設定される。
【００２０】
４連スイッチＺは、４つのボタンＺ１、Ｚ２、Ｚ３、Ｚ４からなるものである。ボタンＺ１を押すと後述の撮像部３のズームレンズがワイド方向へ移動し、ボタンＺ２を押すとズームレンズがテレ方向へ移動する。また、ボタンＺ３を押すとプラス方向の露出補正がなされ、ボタンＺ４を押すとマイナス方向の露出補正がなされる。ズーミングに伴って、被写体の見かけ上の輝度が変化した場合でも、露出補正ボタンＺ３、Ｚ４を押すことによってマニュアルで最適な露出値に設定できる。ズームボタンＺ１、Ｚ２と露出補正ボタンＺ３、Ｚ４が１個の４連スイッチＺとして構成されているため、片手でこれらの操作が可能であり、操作性が良い。
【００２１】
カメラ本体部２の底面には、図３に示すように、電池装填室１８とカード装填室１７とが設けられ、両装填室１７，１８の装填口は、クラムシェルタイプの蓋１５により閉塞されるようになっている。尚、図１では、蓋１５は開いている状態であり、図２、図３では閉じている状態である。蓋１５は図１の矢印１５ａに示す方向に開閉する。
【００２２】
本実施形態におけるデジタルカメラ１は、４本の単三形乾電池Ｅ１〜Ｅ４を直列接続してなる電源電池Ｅを駆動源としており、電池装填室１８はこの４本の電池が収納されるように構成されている。カード装填室１７には、圧縮した画像データを記録するメモリカード８が収納されるように構成されている。メモリカード８は、図１に示すようにカメラ本体部２の前面及び背面に平行な方向（矢印８ａ方向）に出し入れされる。
【００２３】
カメラ本体部２の上面には、図１、図２に示すように、略中央に再生モードにおいて記録画像を再生する際のコマ送り用のスイッチ６，７が設けられている。スイッチ６は、記録画像をコマ番号が増大する方向（撮影順の方向）にコマ送りするためのスイッチ（以下、ＵＰスイッチという）であり、スイッチ７は、記録画像をコマ番号が減少する方向にコマ送りするためのスイッチ（以下、ＤＯＷＮスイッチという）である。また、背面側（図２）からみてＤＯＷＮスイッチ７の左側にメモリカード８に記録された画像を消去するための消去スイッチＤが設けられ、ＵＰスイッチ６の右側にシャッタボタン９が設けられている。
【００２４】
カメラ本体部２の保持面には、図１、図２に示すようにパーソナルコンピュータが外部接続される接続端子１３が設けられている。カメラ本体部２は、主として、撮像部３で取り込まれた画像信号に所定の信号処理を施した後、ＬＣＤ表示部１０への表示、メモリカード８への記録、パーソナルコンピュータへの転送等の処理を行なうものである。
【００２５】
次に、撮像部３について説明する。撮像部３は、沈胴式の撮影レンズを有しカメラ本体部２の撮影部接続面に着脱可能である。撮像部３は、カメラ本体部２に装着された状態で入射窓３０１ａ（ここから撮影レンズに光が入射する）の位置が、前面側から上面側を通り背面側まで１８０度回動自在に構成されている。図１〜図３では、入射窓３０１ａが前面側にある状態を示している。
【００２６】
図１〜図３に示すように、撮像部３は、カメラ本体部２の高さ方向の長さ寸法と略同一の長さ寸法を有し、かつ、カメラ本体部２の幅寸法に比べて若干大きめの寸法を有する縦長直方体状となっている。図１、図２に示すように、撮影部３には外観からわかる構成として、撮影レンズの入射窓３０１ａ、フラッシュ光の被写体からの反射光を受光する調光センサ３０５、及び銀塩レンズシャッターカメラでよく知られているような光学ファインダー３１が設けられている。
【００２７】
図４に、撮像部３の内部の概略構成を示す。尚、図４（ａ）は電源オフ時で撮影レンズ３０１が収容されている状態を示し、図４（ｂ）は電源オン時で、撮影レンズ３０１が合焦可能な所定位置に移動した状態を示す。電源投入に伴って撮影レンズ３０１は（ａ）の状態から（ｂ）の状態へ移動する。尚、本実施形態において、所定位置はワイド端となっている。図４では、紙面上側がカメラ本体の前面側となり、下側がカメラ本体の背面側となっている。
【００２８】
撮像部３は、前群３０１１と後群３０１２とからなるズームレンズである撮影レンズ３０１と、撮影レンズ３０１の後方位置（背面方向）の適所に配されたＣＣＤカラーエリアセンサ３０３を備えた撮像回路３０２と、フラッシュ光の被写体からの反射光を受光する調光センサ３０５（図１参照）を備えた調光回路３０４が設けられている。また、前記撮影ンズ３０１のズーム比の変更と収容位置、所定位置間のレンズ移動を行うためのズームモータＭ１及び合焦を行うためのモータＭ２とが設けられている。
【００２９】
撮影レンズ３０１は、収容時には、図４（ａ）に示すように前群３０１１が合焦可能な所定位置よりも後群３０１２よりに位置するようにセットされ（収容位置）、電源ボタンを押すことによって、図４（ｂ）に示すように前群３０１１が前方に移動する、いわゆる沈胴方式の撮影レンズとなっている。これによって、デジタルカメラ１の幅寸法を大きくすることなく光軸方向に長いズームレンズの採用が可能になっている。尚、電源オン時は撮影レンズ３０１がワイド端に位置するようにセットされ、電源オフ時には収容位置にセットされる。ズームモータＭ１を駆動源として上記レンズ移動が実施される。
【００３０】
次に、デジタルカメラ１の内部ブロックに関して、図５のブロックを用いて説明する。まず、撮像部３の内部ブロックから説明する。ＣＣＤ３０３は、ズームレンズ３０１により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００３１】
撮像部３における露出制御は、絞りが固定絞りとなっているので、ＣＣＤ３０３の露光量、すなわち、シャッタスピードに相当するＣＣＤ３０３の電荷蓄積時間を調節して行なわれる。被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、シャッタスピードとゲイン調整とを組み合わせて露出制御が行なわれる。画像信号のレベル調整は、信号処理回路３１３内のＡＧＣ回路のゲイン調整において行なわれる。
【００３２】
タイミングジェネレータ３１４は、カメラ本体部２のタイミング制御回路２０２から送信される基準クロックに基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００３３】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行ない、ＡＧＣ回路のゲインを調整することにより画像信号のレベル調整を行なう。
【００３４】
調光回路３０４は、フラッシュ撮影における内蔵フラッシュ５の発光量をカメラ本体部２の全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４からＦＬ制御回路発光停止信号ＳＴＰが出力される。
【００３５】
次に、カメラ本体部２の内部ブロックに関して説明する。Ａ／Ｄ変換器２０５は、画像信号の各画素信号を１０ビットのデジタル信号に変換するものである。Ａ／Ｄ変換器２０５は、タイミング制御回路２０２から入力されるＡ／Ｄ変換用のクロックに基づいて各画素信号（アナログ信号）を１０ビットのデジタル信号に変換する。
【００３６】
タイミング制御回路２０２は、上記のようにＡ／Ｄ変換器２０５に対するクロックを生成するとともに、基準クロックを生成したり、タイミングジェネレータ３１４を制御する。タイミング制御回路２０２は、全体制御部２１１により制御される。
【００３７】
黒レベル補正回路２０６は、Ａ／Ｄ変換された画素信号（以下、画素データという）の黒レベルを基準の黒レベルに補正するものである。また、ＷＢ回路２０７は、γ補正後にホワイトバランスも合わせて調整されるように、Ｒ，Ｇ，Ｂの各色成分の画素データのレベル変換を行なうものである。ＷＢ回路２０７は、全体制御部２１１から入力される、レベル変換テーブルを用いてＲ，Ｇ，Ｂの各色成分の画素データのレベルを変換する。なお、レベル変換テーブルの各色成分の変換係数（特性の傾き）は全体制御部２１１により撮影画像毎に設定される。
【００３８】
γ補正回路２０８は、画素データのγ特性を補正するものである。γ補正回路２０８は、γ特性の異なる６種類のγ補正テーブルを有し、撮影シーンや撮影条件に応じて所定のγ補正テーブルにより画素データのγ補正を行なう。
【００３９】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３がｎ行ｍ列の画素を有している場合、ｎ×ｍ画素分の画素データの記憶容量を有し、各画素データが対応する画素位置に記憶されるようになっている。
【００４０】
ＶＲＡＭ２１０は、ＬＣＤ表示部１０に再生表示される画像データのバッファメモリである。ＶＲＡＭ２１０は、ＬＣＤ表示部１０の画素数に対応した画像データの記憶容量を有している。
【００４１】
撮影モードにおいては、撮像部３により１／３０（秒）毎に撮像された画像の各画素データがＡ／Ｄ変換器２０５〜γ補正回路２０８により所定の信号処理を施された後、画像メモリ２０９に記憶されるとともに、全体制御部２１１を介してＶＲＡＭ２１０に転送され、ＬＣＤ表示部１０に表示される（ライブビュー表示）。これにより撮影者はＬＣＤ表示部１０に表示された画像により被写体像を視認することができる。
【００４２】
また、再生モードにおいては、メモリカード８から読み出された画像に全体制御部２１１で所定の信号処理が施され、ＶＲＡＭ２１０に転送され、ＬＣＤ表示部１０に再生表示される。ＬＣＤ表示部１０には、透過型液晶が使用されているため、バックライト１６によりＬＣＤ表示部１０後方から光を投射することによりＬＣＤ表示部１０に表示されている画像が視認できる。バックライト１６をオフした状態では、ＬＣＤ表示部１０に表示されている画像はほとんど視認できない。
【００４３】
カードＩ／Ｆ２１２は、メモリカード８への画像データの書込み及び画像データの読出しを行なうためのインターフェースである。また、通信用Ｉ／Ｆ２１３は、パーソナルコンピュータ１９を通信可能に外部接続するための、例えばＵＳＢ規格に準拠したインターフェースである。
【００４４】
ＦＬ制御回路２１４は、内蔵フラッシュ５の発光を制御する回路である。ＦＬ制御回路２１４は、全体制御部２１１の制御信号に基づき内蔵フラッシュ５の発光の有無、発光量及び発光タイミング等を制御し、調光回路３０４から全体制御部２１１を介して入力される発光停止信号ＳＴＰに基づき内蔵フラッシュ５の発光量を制御する。ＲＴＣ２１９は、撮影日時を管理するするための時計回路である。図示しない別の電源で駆動される。
【００４５】
操作部２５０は、上述した、ＵＰスイッチ６、ＤＯＷＮスイッチ７、シャッターボタン９、ＦＬモード設定スイッチ１１、圧縮率設定スイッチ１２、撮影／再生モード設定スイッチ１４、４連ボタンＺを備えている。また、シャッタボタン９は銀塩カメラで採用されているような半押し状態（Ｓ１）と押し込んだ状態（Ｓ２）とが検出可能な２段階スイッチになっている。
【００４６】
撮影モードでシャッターボタンをＳ１状態にすると、画像メモリ２０９の画像データのコントラストが最大となるように、全体制御部２１１がＡＦモータ制御回路２１４を介してＡＦモータＭ２を制御することにより、撮影レンズ３０１のオートフォーカス処理を実行し、シャッタボタン９を離すとその位置でフォーカスロックする。
【００４７】
電源スイッチＰＳは、自己保持回路ＰＳＨに接続されており、電源オフ状態で電源スイッチＰＳを一度押すと、自己保持回路ＰＳＨはオン状態を維持するため、全体制御部２１１や各ブロックへの通電が維持される。また、電源オン状態で電源スイッチＰＳを押すと、それが全体制御部２１１で検出され、全体制御部２１１はズームモータＭ１の駆動に必要でないブロックに対しては直ちに通電をオフし、ズームレンズの前群３０１１が収容位置に復帰するのに必要な所定時間ズームモータ駆動回路２１５を介してズームモータＭ１を駆動した後、ズームモータＭ１の駆動に必要なブロックと自分自身の通電を遮断する。
【００４８】
また、電源Ｅの電圧監視回路Ｗが全体制御部２１１に接続されており、電源電圧が３．７Ｖまで低下した段階で、上述した電源オフ時と同じ処理を行い、デジタルカメラの電源を遮断する。この３．７Ｖというのは、ズームレンズの前群３０１１が収容位置に復帰するのに必要な最低限の電圧であり、電源電圧がこれより低くなるとズームレンズの前群３０１１が収容位置に復帰できなくなる。
【００４９】
これは、電源電圧が３．７Ｖに低下した段階でバックライト１６を含むズームモータＭ１の駆動に必要でないブロックに対しては直ちに通電をオフするということを前提に設定されている。もし、ズームレンズの前群３０１１が収容位置に復帰する間も、バックライト１６を含むズームモータＭ１の駆動に必要でないブロックも通電を維持するのであれば、検出レベルは例えば４．０Ｖに設定する必要があり、これは、電池の使用可能期間が短くなるという不都合がある。
【００５０】
全体制御部２１１は、マイクロコンピュータからなり、上述した撮像部３内及びカメラ本体部２内の各部材の駆動を有機的に制御してデジタルカメラ１の撮影動作を統括制御するものである。
【００５１】
以上述べた、撮像部３とカメラ本体部２とは、撮像部３の装着面３３４に設けられた、３３４ａ，３３４ｂ，３３４ｃ，３３４ｄ，３３４ｅ，３３４ｆからなる６グループの接続端子群と、本体２の接続板２３４に設けられた２３４ａ，２３４ｂ，２３４ｃ，２３４ｄ，２３４ｅ，２３４ｆからなる６グループの接続端子群によって撮像部３と本体部２とが電気的に接続される。
【００５２】
全体制御部２１１の詳細な内部ブロックを図６に示し、これについて説明する。全体制御部２１１は、露出制御値（シャッタスピード（ＳＳ））を設定するための輝度判定部２１１ａとシャッタスピード設定部２１１ｂとを備えている。輝度判定部２１１ａは、撮影モードにおいて、ＣＣＤ３０３により１／３０（秒）毎に取り込まれる画像を利用して被写体の明るさを判定するものである。すなわち、輝度判定部２１１ａは、画像メモリ２０９に更新的に記憶される画像データを用いて被写体の明るさを判定するものである。
【００５３】
輝度判定部２１１ａは、画像メモリ２０９の記憶エリアを９個のブロックに分割し、各ブロックに含まれるＧ（緑）の色成分の画素データを用いて各ブロックを代表する輝度データを算出する。
【００５４】
シャッタスピード設定部２１１ｂは、輝度判定部２１１ａによる被写体の明るさの判定結果に基づいてシャッタスピード（ＣＣＤ３０３の積分時間）を設定するものである。シャッタスピード設定部２１１ｂは、シャッタスピードＳＳのテーブルを有している。
【００５５】
シャッタスピードＳＳは、カメラ起動時に１／１２８（秒）に初期設定され、撮影モードにおいて、シャッタスピード設定部２１１ｂは、輝度判定部２１１ａによる被写体の明るさの判定結果に応じて初期値から高速側若しくは低速側に１段ずつ変更設定する。
【００５６】
また、全体制御部２１１は、撮影シーンに応じて適切なシャッタスピードＳＳの設定、γ補正、フィルタリング補正（後述）を行なうために、「低輝度シーン」、「中輝度通常シーン」、「中輝度逆光シーン」及び「高輝度シーン」の４種類の撮影シーンを判定するシーン判定部２１１ｃを備えている。「低輝度シーン」は、室内撮影や夜間撮影のように、通常、フラッシュによる補助光を必要とするシーンであり、「中輝度通常シーン」は、主被写体に対する照明光（自然光、人工光を含む）が順光で、かつ、その明るさが適当であるため補助光無しで撮影可能なシーンである。また、「中輝度逆光シーン」は、全体的な明るさは適当であるが、主被写体に対する照明光が逆光のため、フラッシュ発光が好ましいシーンであり、「高輝度シーン」は、例えば晴天の海やスキー場での撮影のように全体的に非常に明かるいシーンである。
【００５７】
更に、全体制御部２１１は、撮像画像が風景や人物等の通常の写真撮影の画像（以下、この種の撮影画像を自然画という）であるか、ボードに描かれた文字、図表等の画像（以下、この種の２値画像に類似した画像を文字画という）であるかを判定する画像判定部２１１ｅを備えている。
【００５８】
画像判定部２１１ｅは、画像メモリ２０９に記憶された撮像画像を構成する画素データに基づき各画素位置の輝度データのヒストグラムを作成し、このヒストグラムに基づき撮像画像の内容を判定する。一般に、撮像画像の輝度データのヒストグラムは、自然画の場合は、輝度分布の偏りが少なく、１つのピーク値を有する、いわゆる１山分布となるが、例えばホワイトボードに描かれた文字のような文字画の場合は、白地部分と黒の文字部分とにそれぞれ輝度分布の偏りが見られ、２山分布となる。従って、画像判定部２１１ｅは、撮像画像の輝度データのヒストグラムが１山分布であるか、２山分布であるかを判別することにより撮像画像が自然画であるか、文字画であるかを判別する。そして、この判定結果もメモリ２１１ｄに記憶される。
【００５９】
全体制御部２１１は、上記撮影画像の記録処理を行なうために、フィルタリング処理を行なうフィルタ部２１１ｆとサムネイル画像及び圧縮画像を生成する記録画像生成部２１１ｇとを備え、メモリカード８に記録された画像をＬＣＤ表示部１０に再生するために、再生画像を生成する再生画像生成部２１１ｈを備えている。
【００６０】
フィルタ部２１１ｆは、デジタルフィルタにより記録すべき画像の高周波成分を補正して輪郭に関する画質の補正を行なうものである。フィルタ部２１１ｆは、圧縮率Ｋ＝１／８，１／２０のそれぞれについて、標準的な輪郭補正を行うデジタルフィルタと、この標準的な輪郭補正に対して、輪郭を強める２種類のデジタルフィルタと輪郭を弱める２種類のデジタルフィルタの合計５種類のデジタルフィルタを備えている。
【００６１】
記録画像生成部２１１ｇは、画像メモリ２０９から画素データを読み出してメモリカード８に記録すべきサムネイル画像と圧縮画像とを生成する。記録画像生成部２１１ｇは、画像メモリ２０９からラスタ走査方向に走査しつつ、横方向と縦方向の両方向でそれぞれ８画素毎に画素データを読み出し、順次、メモリカード８に転送することで、サムネイル画像を生成しつつメモリカード８に記録する。
【００６２】
また、記録画像生成部２１１ｇは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の本画像エリアに記録する。
【００６３】
全体制御部２１１は、撮影モードにおいて、シャッタボタン９により撮影が指示されると、撮影指示後に画像メモリ２０９に取り込まれた画像のサムネイル画像と圧縮率設定スイッチ１２で設定された圧縮率ＫによりＪＰＥＧ方式により圧縮された圧縮画像とを生成し、撮影画像に関するタグ情報（コマ番号、露出値、シャッタスピード、圧縮率Ｋ、撮影日、撮影時のフラッシュのオンオフのデータ、シーン情報、画像の判定結果等の情報）とともに両画像をメモリカード８に記憶する。
【００６４】
図７に、メモリーカード８内のデータ配列を模式的に示す。デジタルカメラによって記録された画像は、圧縮率１／２０で４０コマの画像が記憶可能であり、各コマにはタグ８１の部分とＪＰＥＧ形式で圧縮された高解像度の画像データ(（６４０×４８０）画素)８２とサムネイル表示用の画像データ(（８０×６０）画素)８３が記録されている。各コマ単位で、たとえばＥＸＩＦ形式の画像ファイルとして扱うことが可能である。
【００６５】
撮影／再生モード設定スイッチ１４を再生モードに設定したときには、メモリカード８内のコマ番号の最も大きな画像データが読み出され、再生画像生成部２１１ｈにて、データ伸張され、これがＶＲＡＭ２１０に転送されることにより、表示部１０には、コマ番号の最も大きな画像すなわち、間近に撮影された画像が表示される。ＵＰスイッチ６を操作することにより、コマ番号の大きな画像が表示され、ＤＯＷＮスイッチ７を押すことによりコマ番号の小さな画像が表示される。
【００６６】
図８のタイムチャートを用いて、本実施形態における電源オンオフ時のシーケンスについて詳述する。尚、ここでは撮影モード時の処理に関して説明しているが、撮影モード以外のモードであっても同様である。
【００６７】
デジタルカメラが電源オフ状態のとき、時刻Ｔ０で電源ボタンが押されると、ＣＰＵから構成される全体制御部２１１は直ちに起動し、デジタルカメラは通電状態になる。また、電源ボタンオンをトリガーにして、全体制御部２１１はズームモータＭ１の駆動の開始を指示し、ズームレンズ３０１の前群３０１１は収容位置から、所定位置（ワイド端）へと移動する。この移動は３秒以内に完了する。
【００６８】
また、全体制御部２１１は時刻Ｔ０からｔ１秒後にビデオ回路に通電を指示する。ここでいうビデオ回路とは図５のＶＲＡＭ２１０とＬＣＤ１０であり、図８ではＬＣＤ表示部のオンオフと、ＬＣＤ表示部に与えられる信号（画像データの情報を含む信号）の波形をＶｉｄｅｏ信号として示している。ｔ２の期間（約０．３秒間）はＬＣＤ表示部１０の内部のＬＣＤ駆動用ＩＣが安定しないので、図８に示すようにＶｉｄｅｏ信号の波形がひずんでおり、このときにバックライト１６を点灯させ、ＬＣＤに表示される画像を見える状態にするとノイズが表示されて見苦しくなる。そこで、バックライト１６を点灯させるタイミングをＬＣＤ表示部の画像出力が安定するｔ２以降とすることにより、ノイズが目立たなくなる。つまり、ｔ２の期間はＬＣＤ表示部による表示画像が観察者に観察されない状態となっている。
【００６９】
尚、以上の事情は画像信号を扱う他のブロックについても、程度の差こそあれ同様のことが言える。例えば、ＷＢ回路２０７も通電後所定時間は安定しないので、ＷＢ回路２０７の通電後同時にバックライト１６を点灯させると、ＷＢ回路２０７が不安定であることに起因するノイズが見える状態となってしまう。
【００７０】
次に、電源オフ時の処理に関して説明する。デジタルカメラが電源オン状態のとき時刻Ｔ１に電源ボタンを押されても、ズームレンズが収容位置に復帰するのに必要な時間ｔ３（約３秒間）、全体制御部２１１は通電状態を維持し、時間ｔ３の経過後デジタルカメラの通電をオフさせる。時間ｔ３の期間は、ズームモータＭ１の駆動に必要でないブロックは全て通電を遮断するので、ＬＣＤ表示部１０、バックライト１６の通電も遮断され、ビデオ信号も出力されなくなる。
【００７１】
これによって、バッテリーレベルが低下した状態であっても、レンズを収容位置に復帰させることができる。もし、消費電力が大きなブロック（例えばバックライト１６）を通電させたままで、ズームモータＭ１を駆動すると、バッテリーレベルがさらに低下してレンズの収容位置への復帰が不可能になる可能性がある。
【００７２】
【発明の効果】
請求項１に記載の発明によると、電源投入直後のノイズののったデータ信号に基づく表示は観察されないように制御することにより、観察される画像品質が向上する。尚、表示部の画像出力が安定化するまで、表示画像が観察されないように制御することが望ましい。
【００７３】
また、請求項２に記載の発明によると、沈胴式の撮影レンズを備えた構成のデジタルカメラにおいて、電源投入に伴い撮影レンズが収容位置から合焦可能な所定位置まで移動する間に撮影される合焦されないぼけた像は表示されないように制御するので、画像品質が向上する。さらに、請求項２に記載の発明によると、合焦されないぼけた像が表示されることがなくなるとともに、ノイズ混じりの画像が表示されることがなくなり画像品質が向上する。
【図面の簡単な説明】
【図１】  本実施形態のデジタルカメラの前面から見た外観図。
【図２】  本実施形態のデジタルカメラの背面から見た外観図。
【図３】  本実施形態のデジタルカメラの底面から見た外観図。
【図４】  撮影レンズ（ａ）収容時、（ｂ）所定位置移動時の撮像部内部の概略構成を示す図。
【図５】  本実施形態のデジタルカメラの内部ブロック図。
【図６】  全体制御部の詳細なブロック図。
【図７】  メモリカード内のデータ配列を模式的に示した図。
【図８】  本実施形態の電源オンオフ時のシーケンスを示したタイムチャート。
【符号の説明】
１        デジタルカメラ
２        カメラ本体部
３        撮像部
８        メモリカード
９        シャッターボタン
１０      ＬＣＤ表示部
１６      バックライト
２０９    画像メモリ
２１１    全体制御部
２５０    操作部
３０１    撮影レンズ
３０３    ＣＣＤ
Ｚ        ４連ボタン
Ｗ        電圧監視回路
Ｍ１      ズームモータ
【図１】
0003900694.tif 000002
【図２】
0003900694.tif 000003
【図３】
0003900694.tif 000004
【図４】
0003900694.tif 000005
【図５】
0003900694.tif 000006
【図６】
0003900694.tif 000007
【図７】
0003900694.tif 000008
【図８】
0003900694.tif 000009